(57)【要約】【課題】防塵フィルターを交換可能に構成すると共に、外観デザインの向上を図ったプロジェクターを提供する。【解決手段】プロジェクター１は、光源から射出された光束を画像情報に応じて変調して画像光を形成し、その画像光を投写する。プロジェクター１は、外気を取り込むための吸気口２０５、および吸気口２０５に連通する挿入口２１１を有する外装筐体２と、挿入口２１１から外装筐体２内に着脱可能に設置され、吸気口２０５から外装筐体２の内部に塵埃が侵入することを抑制する防塵フィルター５と、挿入口２１１を露出させる開放状態および挿入口２１１を覆う閉塞状態に開閉可能に構成されたカバー部６と、を備えている。【選択図】図３
2010204339.tif 000002
【特許請求の範囲】
【請求項１】
光源から射出された光束を画像情報に応じて変調して画像光を形成し、前記画像光を投写するプロジェクターであって、
外気を取り込むための吸気口、および前記吸気口に連通する挿入口を有する外装筐体と、
前記挿入口から前記外装筐体内に着脱可能に設置され、前記吸気口から前記外装筐体の内部に塵埃が侵入することを抑制する防塵フィルターと、
前記挿入口を露出させる開放状態、および前記挿入口を覆う閉塞状態に開閉可能に構成されたカバー部と、
を備えていることを特徴とするプロジェクター。
【請求項２】
請求項１に記載のプロジェクターであって、
前記カバー部は、前記挿入口を覆うカバー本体部、および前記カバー本体部から延出し、前記外装筐体に回転可能に支持される腕部を備えていることを特徴とするプロジェクター。
【請求項３】
請求項２に記載のプロジェクターであって、
前記吸気口は、前記外装筐体の側面に形成され、
前記挿入口は、前記吸気口に隣接し、前記防塵フィルターが前記側面に沿う方向に着脱可能となるように構成され、
前記カバー部は、前記カバー本体部の前記吸気口側に位置する吸気側端部が、前記吸気側端部と対向する対向側端部より小さい回転軌跡で回転するように構成されていることを特徴とするプロジェクター。
【請求項４】
請求項３に記載のプロジェクターであって、
前記カバー部は、前記対向側端部側から前記吸気口側への移動が規制される規制部を有していることを特徴とするプロジェクター。
【請求項５】
請求項２〜請求項４のいずれか一項に記載のプロジェクターであって、
前記腕部は、同軸上に一対で形成され、
前記外装筐体は、前記一対の腕部の間に設けられた抑制部を備えていることを特徴とするプロジェクター。
【発明の詳細な説明】
【技術分野】
【０００１】
本発明は、画像光を投写するプロジェクターに関する。
【背景技術】
【０００２】
従来、光源から射出された光束を画像情報に応じて変調して画像光を形成し、その画像光をスクリーン等に投写するプロジェクターが知られている。プロジェクターは、企業内でのプレゼンテーションや、家庭内での映画鑑賞等の種々の用途に用いられている。
プロジェクターの光源は、その点灯に伴って、光源自身や内部の光学部品等の温度上昇を招き、それらの部品の性能や機能を低下させる虞がある。内部部品の温度上昇を抑制するために、多くのプロジェクターは、外装筐体に吸気口が設けられ、その吸気口から外気を取り入れて内部の部品を冷却している。その吸気口には外気に混在する塵埃が外装筐体内部に侵入しないように防塵フィルター（フィルター装置）が配置されている（例えば、特許文献１参照）。
【０００３】
特許文献１に記載のプロジェクターは、吸気口（第１開口部）および挿入部を有する外装筐体と、防塵フィルターとを備えている。挿入部は、第２開口部と案内部とを有し、防塵フィルターは、この第２開口部からスライドされることによって挿入部に挿入される。
【先行技術文献】
【特許文献】
【０００４】
【特許文献１】特開２００９−３３１７号公報
【発明の概要】
【発明が解決しようとする課題】
【０００５】
しかしながら、特許文献１に記載のプロジェクターは、防塵フィルターおよび第２開口部の縁部が露出することによって、外観デザインが損ねたり、外観デザインの自由度が低下するという課題がある。また、外観デザインを向上するためには、様々な仕様の外装筐体に対応した形状や色等の防塵フィルターを用意することが必要となり、防塵フィルターの種類が増えることに伴う在庫管理やアフターサービス性などが煩雑になるという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を画像情報に応じて変調して画像光を形成し、前記画像光を投写するプロジェクターであって、外気を取り込むための吸気口、および前記吸気口に連通する挿入口を有する外装筐体と、前記挿入口から前記外装筐体内に着脱可能に設置され、前記吸気口から前記外装筐体の内部に塵埃が侵入することを抑制する防塵フィルターと、前記挿入口を露出させる開放状態、および前記挿入口を覆う閉塞状態に開閉可能に構成されたカバー部と、を備えていることを特徴とする。
【０００８】
このプロジェクターによれば、防塵フィルターは、着脱可能に設置されるように構成され、この防塵フィルターが着脱される挿入口は、カバー部によって開閉可能に構成されている。つまり、挿入口および防塵フィルターは、防塵フィルターが交換されるときを除いて、カバー部によって覆われることが可能となる。これによって、プロジェクターは、防塵フィルターを適正に交換することで、長期に亘って適正に外気を取り込むことが可能になると共に、閉塞状態において、外観デザインの向上が図れる。
また、カバー部は、閉塞状態において、防塵フィルターが挿入口から抜け出ないように制止できるので、防塵フィルターは、所定の位置に安定して配置され、確実に塵埃の侵入を抑制することが可能となる。
【０００９】
［適用例２］上記適用例に係るプロジェクターにおいて、前記カバー部は、前記挿入口を覆うカバー本体部、および前記カバー本体部から延出し、前記外装筐体に回転可能に支持される腕部を備えていることが好ましい。
【００１０】
このプロジェクターによれば、カバー部は、挿入口を覆うカバー本体部、および腕部を備え、腕部は、外装筐体に回転可能に支持される。これによって、使用者は、腕部の回転軸を中心として回転することによって、容易にカバー部を開放状態と閉塞状態とに開閉できる。また、カバー部は、腕部が外装筐体に支持されているので、開放状態および閉塞状態において、外装筐体から分離されないように構成することができ、カバー部の紛失や、個別に取り扱われることに伴う破損等が抑制され、安定して閉塞状態を有することが可能となる。
【００１１】
［適用例３］上記適用例に係るプロジェクターにおいて、前記吸気口は、前記外装筐体の側面に形成され、前記挿入口は、前記吸気口に隣接し、前記防塵フィルターが前記側面に沿う方向に着脱可能となるように構成され、前記カバー部は、前記カバー本体部の前記吸気口側に位置する吸気側端部が、前記吸気側端部と対向する対向側端部より小さい回転軌跡で回転するように構成されていることが好ましい。
【００１２】
このプロジェクターによれば、吸気口は、外装筐体の側面に形成され、挿入口は、吸気口に隣接し、防塵フィルターが側面に沿う方向に着脱されるように構成されている。つまり、挿入口は、側面と交差する外装筐体の上側の面や下側の面に形成され、防塵フィルターは、外装筐体の上方や下方から着脱される。カバー部は、閉塞状態において、挿入口を覆うように形成されているので、吸気口近傍の外装筐体の上部や下部に配置される。
そして、カバー部は、カバー本体部の吸気口側に位置する吸気側端部が、この端部と対向する対向側端部より小さい回転軌跡で回転するように構成されている。つまり、カバー部は、回転軸が対向側端部より吸気側端部に接近して設けられ、対向側端部が側方へ向かう方向の力が加えられることによって開放され、側方からの力が加えられることによって閉塞されるように開閉する。これによって、閉塞状態において、使用者がプロジェクターの位置を変えたり、持ち上げようとしたりする際に側方からカバー部に力が加わった場合、カバー部には、閉塞される方向の力が加わるので、カバー部は、安定して閉塞状態を維持することが可能となる。よって、プロジェクターの取扱い性の向上が図れる。
【００１３】
［適用例４］上記適用例に係るプロジェクターにおいて、前記カバー部は、前記対向側端部側から前記吸気口側への移動が規制される規制部を有していることが好ましい。
【００１４】
このプロジェクターによれば、カバー部は、対向側端部側から吸気口側への移動が規制される規制部を有している。これによって、使用者が外装筐体の側面近傍に手を掛けて持ち運んだりする際等、カバー部に対向側端部から吸気口に向かう方向に力が加わった場合、カバー部は、位置ずれや変形等が抑制され、安定して閉塞状態を維持することが可能となる。よって、さらに、プロジェクターの取扱い性の向上が図れる。
【００１５】
［適用例５］上記適用例に係るプロジェクターにおいて、前記腕部は、同軸上に一対で形成され、前記外装筐体は、前記一対の腕部の間に設けられた抑制部を備えていることが好ましい。
【００１６】
このプロジェクターによれば、腕部は、同軸上に一対で形成されている。また、外装筐体は、一対の腕部の間に設けられた抑制部を備えている。これによって、カバー部が開放される際の力によって、カバー本体部が撓み、一対の腕部が互いに近接する方向の力が加わった場合、腕部は、抑制部によって変形が抑制されるので、腕部は、外装筐体に確実に支持され、カバー部は、安定した開閉が可能となる。
【図面の簡単な説明】
【００１７】
【図１】本実施形態のプロジェクターの外観を示す斜視図。
【図２】光学ユニットを模式的に示す図。
【図３】プロジェクターの吸気口近傍を示す斜視図であり、防塵フィルターおよびカバー部が分離された状態を示す図。
【図４】プロジェクターを右方から見た挿入口近傍の断面図。
【図５】プロジェクターを右方から見た突出部近傍の断面図。
【図６】防塵フィルターの斜視図。
【図７】プロジェクターを前方から見た挿入口近傍の断面図。
【図８】カバー部の斜視図。
【図９】閉塞状態におけるプロジェクターを前方から見たカバー部近傍の断面図。
【図１０】開放状態におけるプロジェクターを前方から見たカバー部近傍の斜視図。
【図１１】開放状態におけるプロジェクターを前方から見たカバー部近傍の断面図。
【発明を実施するための形態】
【００１８】
以下、本実施形態に係るプロジェクターについて、図面を参照して説明する。
本実施形態のプロジェクターは、光源から射出された光束を画像情報に応じて変調して画像光を形成し、その画像光をスクリーン等に拡大投写する。
図１は、本実施形態のプロジェクターの外観を示す斜視図であり、プロジェクターが机上等に据え置きされた据置き姿勢における斜視図である。なお、以下においては、説明の便宜上、プロジェクターから画像光が投写される方向を前方向（＋Ｙ方向）、Ｙ方向に直交し、図１の図面視における右側を右方向（＋Ｘ方向）、Ｘ方向およびＹ方向に直交し、図１の図面視における上側を上方向（＋Ｚ方向）として記載する。
【００１９】
図１に示すように、プロジェクター１は、本体が外装筐体２で囲まれた構成になっている。そして、外装筐体２内には、光源３１１を有する光学ユニット３（図２参照）、図示しない制御部、光源３１１や制御部に電力を供給する電源装置、プロジェクター１内部を冷却する冷却ファン等が配置されている。
【００２０】
外装筐体２は、合成樹脂製であり、上部を構成するアッパーケース２１、下部を構成するロアーケース２２、およびランプ蓋２３等を備えており、これらは、ネジ等により固定されている。また、外装筐体２の前面、上面および側面は、それぞれが曲面を有して形成されている。
【００２１】
図１に示すように、アッパーケース２１の前面２１Ａには、前方から見て略矩形の開口部２０１が形成されており、この開口部２０１の内側には、光学ユニット３に備えられた投写光学装置としての投写レンズ３６が配置されている。そして、投写レンズ３６から射出された画像光は、この開口部２０１を通過して前方に投写される。
アッパーケース２１およびロアーケース２２のそれぞれの前面２１Ａ，２２Ａにて構成される外装筐体２の前面の左側（−Ｘ側）には、矩形状の開口部が設けられており、この開口部には、排気口２０２を有するルーバーが配置されている。排気口２０２は、複数の矩形状の貫通孔で構成されており、光源の点灯に伴って温まった外装筐体２内の空気は、この排気口２０２から排出される。
【００２２】
アッパーケース２１の上面２１Ｂには、開口部２０１近傍に開口部２０３が形成されており、この開口部２０３から投写レンズ３６のフォーカス調整、およびズーム調整の操作を行うレバーが露出している。
また、上面２１Ｂには、開口部２０３後方（−Ｙ方向）に複数の開口部が設けられており、この開口部から入力操作部４の各キーが露出している。入力操作部４は、プロジェクター１の各種設定を行うためのメニュー画像の表示／非表示を切り換えるメニューキー、入力ソースを切り換えるソース切換キー等、各種指示を行うための複数のキー等を備えている。
【００２３】
さらに、上面２１Ｂには、後方の左側に光源装置３１（図２参照）の交換用の開口部２０４が形成されている。この開口部２０４は、ランプ蓋２３がアッパーケース２１に装着されることによって閉塞される。
【００２４】
アッパーケース２１およびロアーケース２２のそれぞれの右側の側面２１Ｃ，２２Ｃにて構成される外装筐体２の側面には、外気を取り込むための吸気口２０５が設けられている。吸気口２０５は、複数の矩形状の貫通孔で構成されており、外装筐体２の内部は、この吸気口２０５から取り込まれた空気によって冷却される。
【００２５】
アッパーケース２１には、吸気口２０５の上方に開閉可能に支持されたカバー部６が配置される。このカバー部６で覆われたアッパーケース２１の上側の面には、挿入口２１１（図３参照）が設けられており、この挿入口２１１から防塵フィルター５（図３参照）が着脱される。そして、防塵フィルター５は、吸気口２０５の内面側に配置され、吸気口２０５から外装筐体２の内部に塵埃が侵入することを抑制する。
カバー部６は、閉じられた状態で防塵フィルター５が露出しないように覆い、開けられた状態で防塵フィルター５が着脱されるように構成されている。なお、防塵フィルター５およびカバー部６については、後で詳細に説明する。
【００２６】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２７】
光学ユニット３は、制御部による制御の下、光源から射出された光束を光学的に処理し、画像情報に応じた画像光を形成して投写する。
図２は、光学ユニット３を模式的に示す図である。
図２に示すように、光学ユニット３は、光源装置３１、照明光学装置３２、色分離光学装置３３、リレー光学装置３４、電気光学装置３５、投写レンズ３６およびこれら各光学部品３１〜３６を所定位置に配置する光学部品用筐体３７を備える。
【００２８】
光源装置３１は、超高圧水銀ランプやメタルハライドランプ等からなる放電型の光源３１１およびリフレクタ３１２等を備える。そして、光源装置３１は、光源３１１から射出された光束をリフレクタ３１２によって射出方向を揃え、照明光学装置３２に向けて射出する。
【００２９】
照明光学装置３２は、第１レンズアレイ３２１、第２レンズアレイ３２２、偏光変換素子３２３、重畳レンズ３２４を備え、光源３１１から射出された光束を後述する液晶パネル３５２の画像形成領域を略均一に照明するように光学的に処理する。
【００３０】
色分離光学装置３３は、２枚のダイクロイックミラー３３１，３３２、および反射ミラー３３３を備え、照明光学装置３２から射出された光束を赤色光（以下「Ｒ光」という）、緑色光（以下「Ｇ光」という）、青色光（以下「Ｂ光」という）の３色の色光に分離する機能を有する。
【００３１】
リレー光学装置３４は、入射側レンズ３４１、リレーレンズ３４３、および反射ミラー３４２，３４４を備え、第２のダイクロイックミラー３３２を透過したＲ光をＲ光用の液晶パネル３５２Ｒまで導く機能を有する。なお、光学ユニット３は、リレー光学装置３４がＲ光を導く構成としているが、これに限らず、例えば、Ｂ光を導く構成としてもよい。
【００３２】
電気光学装置３５は、入射側偏光板３５１、光変調装置としての液晶パネル３５２、射出側偏光板３５３、色合成光学装置としてのクロスダイクロイックプリズム３５４を備え、色分離光学装置３３から射出された各色光を画像情報に応じて変調して画像光を形成する。
【００３３】
投写レンズ３６は、複数のレンズを組み合わせた組レンズとして構成され、電気光学装置３５にて形成された画像光をスクリーン上に拡大投写する。
【００３４】
ここで、挿入口２１１、防塵フィルター５およびカバー部６について詳細に説明する。
先ず、挿入口２１１および挿入口２１１近傍の形状について詳細に説明する。
図３は、プロジェクター１の吸気口２０５近傍を示す斜視図であり、防塵フィルター５およびカバー部６が分離された状態を示す図である。
図３に示すように、アッパーケース２１の吸気口２０５近傍には、上面２１Ｂに対して窪み、カバー部６で覆われる凹部２１０が形成されている。凹部２１０は、吸気口２０５の上方に側面２１Ｃから上面２１Ｂの一部に亘って形成され、前後方向（±Ｙ方向）において、吸気口２０５の長さより長く設けられている。
【００３５】
この凹部２１０には、側面２１Ｃ近傍に設けられ、上方（＋Ｚ方向）に向かって開口する挿入口２１１が設けられている。挿入口２１１は、前述したように、防塵フィルター５が着脱される開口部であり、吸気口２０５に連通して形成されている。挿入口２１１は、側面２１Ｃに沿ってスリット状に形成され、側面２１Ｃの曲率と略同等の曲率を有して形成されている。
防塵フィルター５は、挿入口２１１の上方から挿入されることによって外装筐体２に装着され、装着された防塵フィルター５は、上方に抜出されることによって取り出される。このように、挿入口２１１は、吸気口２０５に隣接して設けられ、防塵フィルター５が上下方向（±Ｚ方向）、つまり側面２１Ｃに沿う方向に着脱可能に構成されている。
【００３６】
また、凹部２１０には、挿入口２１１の左方向（−Ｘ方向）に設けられ、前方に位置する突出部２１２および後方に位置する突出部２１３が形成されている。具体的に、突出部２１２および突出部２１３は、上面２１Ｂに対して所定の段差を有して凹み、挿入口２１１の縁部から上方に突出している。そして、突出部２１２および突出部２１３は、互いの離間する距離で形成されるスペース（操作スペース２１４）に人間の指先が挿入可能な大きさになるように設定されている。
【００３７】
突出部２１２，２１３の上面には、前後方向（±Ｙ方向）が長手方向となるような角穴２１５，２１６がそれぞれ形成されている。角穴２１５，２１６は、カバー部６が閉じられた際に、カバー部６が必要以上に移動されないために設けられており、カバー部６の後述する規制部６１４，６１５（図８参照）と係合可能に形成されている。
【００３８】
図４は、プロジェクター１を右方（＋Ｘ方向）から見た挿入口２１１近傍の断面図である。図４に示すように、挿入口２１１を形成する前方（＋Ｙ方向）の壁部（抑制部２１１Ａ）、および後方（−Ｙ方向）の壁部（抑制部２１１Ｂ）は、カバー部６の後述する腕部６２，６３の間に位置するように設けられている。そして、抑制部２１１Ａ，２１１Ｂには、前後方向に貫通する貫通孔２１７，２１８がそれぞれ形成されている。貫通孔２１７，２１８は、カバー部６の後述する支持部６２１，６３１をそれぞれ回転可能に支持する部位である。
【００３９】
図５は、プロジェクター１を右方（＋Ｘ方向）から見た突出部２１２，２１３近傍の断面図である。図５に示すように、突出部２１２を形成する前方（＋Ｙ方向）の壁部には、前後方向に貫通する孔（係止用孔２１２１）が形成され、突出部２１３を形成する後方（−Ｙ方向）の壁部には、前後方向に貫通する孔（係止用孔２１３１）が形成されている。係止用孔２１２１，２１３１は、カバー部６の後述する突起部６２２，６３２がそれぞれ係止され、カバー部６が閉じられた状態を維持するように設定されている。
【００４０】
次に、防塵フィルター５について詳細に説明する。
図６は、防塵フィルター５の斜視図であり、図３における防塵フィルター５を左方向（−Ｘ方向）から見た図である。
防塵フィルター５は、図３、図６に示すように、フィルター本体５１とフィルター枠５２を有して構成され、挿入口２１１から外装筐体２内に着脱可能に設置される。
【００４１】
フィルター本体５１は、通気性を有し、塵埃の通過を抑制する部材で直方体状に形成されている。
フィルター枠５２は、合成樹脂製であり、フィルター本体５１の外周を保持するように外周端部に段差を有して枠状に形成され、空気が通過する複数の貫通孔が設けられている。フィルター枠５２は、図３に示すように、挿入口２１１に挿入できるように挿入口２１１の曲率に沿った形状を有している。フィルター本体５１は、外周縁部がフィルター枠５２に粘着剤を介して取り付けられることによって、フィルター枠５２の曲率に沿って配置される。
【００４２】
フィルター枠５２には、図６に示すように、外側に突出する把持部５２１が設けられている。把持部５２１は、フィルター本体５１が取り付けられている側と反対側が凹んだ形状を有している。そして、把持部５２１は、防塵フィルター５が外装筐体２に装着された際に、凹部２１０の操作スペース２１４に隣接する位置となるように設定されている。
また、フィルター枠５２には、把持部５２１に近接し、貫通孔同士の間に形成されている格子上に、フィルター本体５１が取り付けられている側と反対側に突出する突起部５２２が形成されている。
防塵フィルター５は、図３に示すように、フィルター本体５１が取り付けられている側が右方（＋Ｘ方向）を向き、把持部５２１が上方（＋Ｚ方向）を向く姿勢で挿入口２１１から挿入され、外装筐体２に装着される。
【００４３】
図７は、プロジェクター１を前方から見た挿入口２１１近傍の断面図である。具体的に、図７は、防塵フィルター５が装着された状態のプロジェクター１を前方から見た防塵フィルター５近傍の図である。
防塵フィルター５は、図７に示すように、突起部５２２が挿入口２１１内に形成された段差部２１１１に係合されるまで挿入されると、吸気口２０５の内面側の所定位置に配置される。吸気口２０５から取り込まれた外気に混在する塵埃は、この防塵フィルター５によって外装筐体２内部に侵入することが抑制される。そして、防塵フィルター５を通過し、濾過された空気は、外装筐体２内部を冷却する。なお、防塵フィルター５は、突起部５２２が段差部２１１１に係合される際に、クリック感を有するように形成されている。
【００４４】
また、防塵フィルター５は、所定位置に配置された状態で、図７に示すように、把持部５２１が操作スペース２１４の右方に突出して配置されている。そして、防塵フィルター５は、カバー部６が開けられた際に、使用者が操作スペース２１４からこの把持部５２１に指を掛けて防塵フィルター５を取り出し易いようになっている。また、把持部５２１は、図７に示すように、閉じられた状態のカバー部６と当接するように設定されている。
【００４５】
次に、カバー部６について詳細に説明する。
カバー部６は、前述したように、凹部２１０を覆うように形成され、外装筐体２に回転可能に支持されている。そして、カバー部６は、凹部２１０を覆う状態、つまり挿入口２１１および防塵フィルター５を覆う閉塞状態と、挿入口２１１および防塵フィルター５の上側を露出させる開放状態とに開閉可能に構成されている。
【００４６】
カバー部６は、合成樹脂製であり、図３に示すように、カバー本体部６１、および一対の腕部６２，６３を有している。
カバー本体部６１は、凹部２１０を覆う部位であり、アッパーケース２１の上面２１Ｂに沿って形成された上面６Ａ、およびアッパーケース２１の側面２１Ｃに沿って形成された側面６Ｂを有している。そして、カバー部６は、図１に示すように、側面６Ｂの下方側端部（吸気側端部６１１）が吸気口２０５に隣接して配置される。
【００４７】
図８は、カバー部６の斜視図であり、閉塞状態におけるカバー部６を下方から見た図である。
図８に示すように、カバー本体部６１には、吸気側端部６１１と対向する対向側端部６１２の略中央部に凹部（手掛け部６１３）が形成されている。そして、対向側端部６１２近傍には、この手掛け部６１３の前方（＋Ｙ方向）および後方（−Ｙ方向）に、上面６Ａの反対側の面（内面６Ｃ）から突出する規制部６１４，６１５が形成されている。規制部６１４，６１５は、前後方向（±Ｙ方向）が長手方向となるようにそれぞれ直方体状に形成されている。
【００４８】
規制部６１４，６１５は、前述したように、凹部２１０の角穴２１５，２１６とそれぞれ係合可能に形成されている。
図９は、閉塞状態におけるプロジェクター１を前方から見たカバー部６近傍の断面図である。
規制部６１４，６１５は、前述したように、対向側端部６１２近傍に内面６Ｃから突出して設けられており、図９に示すように、閉塞状態において、角穴２１５，２１６内に配置される。具体的に、規制部６１４，６１５は、吸気側端部６１１側の側面６１４Ａ，６１５Ａが角穴２１５，２１６の吸気口２０５側の側面２１５Ａ，２１６Ａにそれぞれ対向し、僅かに離間して配置される。カバー部６は、閉塞状態において、対向側端部６１２側から吸気口２０５側へ移動されると、側面６１４Ａ，６１５Ａが側面２１５Ａ，２１６Ａと当接し、それ以上の移動が規制される。つまり、カバー部６は、規制部６１４，６１５が角穴２１５，２１６に係合されることによって、対向側端部６１２側から吸気口２０５側への移動が規制される。
【００４９】
また、図９に示すように、規制部６１４，６１５は、カバー部６が回転される際の、側面６１４Ａ，６１５Ａのそれぞれの縁部６１４Ｂ，６１５Ｂにおける回転軌跡Ｃ１が側面２１５Ａ，２１６Ａのそれぞれの縁部２１５Ｂ，２１６Ｂの外側に位置するように形成されている。つまり、カバー部６は、規制部６１４，６１５と角穴２１５，２１６の縁部とが干渉することなく回転される。
【００５０】
腕部６２，６３は、外装筐体２に回転可能に支持されるための部位であり、カバー本体部６１の内面６Ｃから突出して形成されている。
具体的に、腕部６２は、図８に示すように、カバー本体部６１の前側（＋Ｙ側）端部に設けられ、内面６Ｃから下方（−Ｚ方向）に向かって延出した後に屈曲して右方（＋Ｘ方向）に延出している。そして、腕部６２の先端には、回転軸６Ｊを有し、後方（−Ｙ方向）に向かって突出する円柱状の支持部６２１が形成されている。つまり、回転軸６Ｊは、対向側端部６１２より吸気側端部６１１に接近するように形成されている。また、腕部６２の略中央部には、後方（−Ｙ方向）に向かって突出する突起部６２２が形成されている。
【００５１】
腕部６３は、図８に示すように、カバー本体部６１の後側（−Ｙ側）端部に設けられ、Ｘ−Ｚ平面に対して、腕部６２と略対称に形成されている。具体的に、腕部６３は、図８に示すように、内面６Ｃから下方（−Ｚ方向）に向かって延出した後に屈曲して右方（＋Ｘ方向）に延出している。そして、腕部６３の先端には、回転軸６Ｊを中心とし、前方（＋Ｙ方向）に向かって突出する円柱状の支持部６３１が形成されている。また、腕部６３の略中央部には、前方（＋Ｙ方向）に向かって突出する突起部６３２が形成されている。突起部６２２，６３２は、係止部に相当する。
このように、腕部６２，６３には、回転軸６Ｊを同軸とする支持部６２１，６３１が対向してそれぞれ形成されている。
【００５２】
図４に戻って、カバー部６は、対向する腕部６２，６３が抑制部２１１Ａ，２１１Ｂの前方および後方にそれぞれ位置し、支持部６２１，６３１が貫通孔２１７，２１８にそれぞれ嵌合されることによって回転可能に支持される。具体的に、支持部６２１は、抑制部２１１Ａの前方（＋Ｙ方向）から貫通孔２１７に挿入されて嵌合され、支持部６３１は、抑制部２１１Ｂの後方（−Ｙ方向）から貫通孔２１８に挿入されて嵌合される。このように、支持部６２１，６３１は、互いに対向する側から貫通孔２１７，２１８にそれぞれ嵌合されることによって回転可能に支持される。また、腕部６２，６３は、抑制部２１１Ａ，２１１Ｂに対してそれぞれ近接して設けられ、カバー部６が滑らかに回転可能な範囲において、ガタツキが抑えられるように設定されている。そして、カバー部６は、回転軸６Ｊを中心に回転されることによって開閉される。
【００５３】
図５に戻って、カバー部６は、前述したように、閉塞状態において、突起部６２２，６３２が係止用孔２１２１，２１３１にそれぞれ係止され、閉塞状態が維持される。また、図７に示すように、この閉塞状態において、カバー部６は、内面６Ｃが防塵フィルター５の把持部５２１と当接する。
【００５４】
ここで、カバー部６の動作について説明する。
図１０は、開放状態におけるプロジェクター１を前方から見たカバー部６近傍の斜視図である。図１１は、開放状態におけるプロジェクター１を前方から見たカバー部６近傍の断面図である。
カバー部６は、閉塞状態において、対向側端部６１２側に上方への力が加えられると、回転軸６Ｊを中心に回転し、図１０、図１１に示すように、開放状態となる。
具体的に、カバー部６は、閉塞状態から手掛け部６１３に使用者の指先が掛けられ、上方への力が加えられると、突起部６２２，６３２は、係止用孔２１２１，２１３１に対する係止が解除される。そして、カバー部６は、回転自在な状態となる。
【００５５】
カバー部６は、突起部６２２，６３２の係止が解除された後、さらに開放する方向の力、つまり、対向側端部６１２が側方へ向かう方向の力が加えられると、図１１に示すように、吸気側端部６１１が、対向側端部６１２より小さい回転軌跡で回転する。より具体的に、カバー部６は、図１１に示すように、回転軸６Ｊを中心とする吸気側端部６１１の回転軌跡の直径Ｄ１が、回転軸６Ｊを中心とする対向側端部６１２の回転軌跡の直径Ｄ２より小さく回転する。そして、カバー部６は、腕部６２および腕部６３がアッパーケース２１の内壁に当接するまで回転されると開放状態が保持される。
防塵フィルター５は、この開放状態において、図１０に示すように、把持部５２１が露出し、着脱されることが可能となる。
【００５６】
一方、カバー部６は、この開放状態において、側方からの力が加えられると、前述した回転軌跡と同様の軌跡を辿って反対方向に回転する。そして、カバー部６は、上方から下方に押圧されると、突起部６２２，６３２が係止用孔２１２１，２１３１に係止されて閉塞状態となる。
【００５７】
以上説明したように、本実施形態のプロジェクター１によれば、以下の効果を得ることができる。
（１）プロジェクターは、着脱可能に設置された防塵フィルター５、および開放状態と閉塞状態とに開閉するカバー部６を備えている。これによって、プロジェクター１は、防塵フィルター５を適正に交換することで、長期に亘って適正に外気を取り込んで外装筐体２内部を効率良く冷却し、長寿命化を図ることが可能になると共に、閉塞状態において、外観デザインの向上が図れる。
【００５８】
（２）カバー部６は、閉塞状態において、把持部５２１がカバー部６の内面６Ｃと当接するように構成されているので、防塵フィルター５を挿入口２１１から抜け出ないように制止できる。よって、防塵フィルター５は、所定の位置に安定して配置され、確実に塵埃の侵入を抑制することが可能となる。
【００５９】
（３）防塵フィルター５は、閉塞状態において、露出されないので、形状や色等の様々な仕様の外装筐体２に対して外観を損なうことなく使用することができる。これによって、防塵フィルター５の共通化が可能となり、防塵フィルター５の在庫管理の簡素化やアフターサービス性の向上が図れる。
【００６０】
（４）カバー部６は、支持部６２１，６３１が貫通孔２１７，２１８に嵌合されているので、開放状態においても、外装筐体２から分離されず、カバー部６の紛失や、個別に取り扱われることに伴う破損等が抑制され、安定して閉塞状態を有することが可能となる。また、カバー部６は、回転可能に支持されているので、使用者は、容易にカバー部を開閉でき、利便性の向上が図れる。
【００６１】
（５）カバー部６は、対向側端部６１２が側方へ向かう方向の力が加えられることによって開放され、側方からの力が加えられることによって閉塞されるように開閉する。これによって、閉塞状態において、使用者がプロジェクター１の位置を変えたり、持ち上げようとしたりする際に側方からカバー部６に力が加わった場合、カバー部６には、閉塞される方向の力が加わるので、カバー部６は、安定して閉塞状態を維持することが可能となる。よって、プロジェクター１の取扱い性の向上が図れる。
【００６２】
（６）カバー部６は、閉塞状態において、アッパーケース２１に対して対向側端部６１２から吸気口２０５に向かう方向への移動が規制されている。これによって、閉塞状態において、使用者が外装筐体２の側面近傍に手を掛けて持ち運んだりする際等、カバー部６に対向側端部６１２から吸気口２０５に向かう方向に力が加わった場合、カバー部６は、位置ずれや変形等が抑制される。よって、カバー部６は、突起部６２２，６３２が安定して係止用孔２１２１，２１３１に係止され、閉塞状態を維持することが可能となり、さらに、プロジェクター１の取扱い性の向上が図れる。
【００６３】
（７）カバー部６は、閉塞状態から開放される際、手掛け部６１３に使用者の指先が掛けられ、上方への力が加えられると、手掛け部６１３近傍が上方に膨らむような力が加わり、腕部６２，６３には、互いが近接する方向の力が加わる。腕部６２，６３の間には、抑制部２１１Ａ，２１１Ｂが設けられているので、腕部６２，６３が互いに近接する方向の変形が抑制される。これによって、支持部６２１，６３１は、貫通孔２１７，２１８から外れることなく確実に支持され、カバー部６は、安定した開閉が可能となる。
【００６４】
（８）吸気口２０５が側面２１Ｃ，２２Ｃに設けられているので、上面２１Ｂや下面に設けられている場合に比べて、プロジェクター１の据置き姿勢、および据置き姿勢に対して天地が反転されて設置される天吊り姿勢の双方において、防塵フィルター５には、塵埃が積層しにくくなる。よって、防塵フィルター５の交換頻度を減少させることが可能となり、アフターサービスの簡素化が図れる。
【００６５】
（９）プロジェクター１は、防塵フィルター５が外装筐体２の上面側から着脱可能に構成されているので、天吊り姿勢において、使用者は、プロジェクター１の下方から防塵フィルター５を着脱できる。よって、使用者は、プロジェクター１と天井との間のスペースに制約されず容易に防塵フィルター５を交換することができる。また、据置き姿勢において、使用者は、投写する位置が設定されたプロジェクター１を移動させることなく防塵フィルター５を交換することができる。よって、防塵フィルター５交換後、再度、プロジェクター１の位置設定を行う必要がないので、煩雑性を低減できる。
【００６６】
（１０）防塵フィルター５は、突起部５２２が段差部２１１１に係合される際に、クリック感を有するように形成されているので、使用者が防塵フィルター５を外装筐体２の所定位置に装着する際の目安となり、防塵フィルター５を適正な位置に安定して装着することが可能となる。
【００６７】
（１１）防塵フィルター５は、側面２１Ｃに沿った曲率を有して形成されているので、外装筐体２内のスペースを有効に活用することが可能となり、プロジェクター１の小型化や、空気が流通する流路を確保して外装筐体２内の冷却効率の向上等が図れる。
【００６８】
（変形例）
なお、前記実施形態は、以下のように変更してもよい。
挿入口２１１を外装筐体２の底面に設け、防塵フィルター５を下方から着脱するように構成してもよい。
【００６９】
凹部２１０は、アッパーケース２１と別体に形成された部材で構成してもよい。
【００７０】
前記実施形態では、凸状に形成された支持部６２１，６３１が凹状に形成された貫通孔２１７，２１８に嵌合されるように構成されているが、凹状に形成された支持部が、外装筐体２に形成された凸状の部位に嵌合されるように構成してもよい。
また、前記実施形態では、凸状に形成された規制部６１４，６１５が凹状に形成された角穴２１５，２１６に当接可能に構成されているが、凹状に形成された規制部が外装筐体２に形成された凸状の部位に当接可能に構成してもよい。
同様に、前記実施形態では、凸状に形成された係止部（突起部６２２，６３２）が凹状に形成された係止用孔２１２１，２１３１に係止されるように構成されているが、凹状に形成された係止部が外装筐体２に形成された凸状の部位に係止されるように構成してもよい。
【００７１】
前記実施形態のプロジェクター１は、光変調装置として透過型の液晶パネル３５２を用いているが、反射型液晶パネルを利用したものであってもよい。また、光変調装置は、マイクロミラーアレイを用いたデバイス等を使用したものであってもよい。
【００７２】
光源３１１は放電型のランプに限らず、その他の方式のランプや発光ダイオード等の固体光源で構成してもよい。
【００７３】
前記実施形態のプロジェクター１は、フロントタイプのプロジェクターとして適用しているが、投写対象面としてのスクリーンを一体で有するリアタイプのプロジェクターにも適用できる。
【符号の説明】
【００７４】
１…プロジェクター、２…外装筐体、３…光学ユニット、５…防塵フィルター、６…カバー部、６Ｊ…回転軸、２１…アッパーケース、２１Ｃ，２２Ｃ…側面、２２…ロアーケース、５１…フィルター本体、５２…フィルター枠、６１…カバー本体部、６２，６３…腕部、２０５…吸気口、２１１…挿入口、２１１Ａ，２１１Ｂ…抑制部、２１７，２１８…貫通孔、３１１…光源、３５２…液晶パネル、６１１…吸気側端部、６１２…対向側端部、６１４，６１５…規制部、６２１，６３１…支持部、６２２，６３２…突起部。
【図１】
2010204339.tif 000003
【図２】
2010204339.tif 000004
【図３】
2010204339.tif 000005
【図４】
2010204339.tif 000006
【図５】
2010204339.tif 000007
【図６】
2010204339.tif 000008
【図７】
2010204339.tif 000009
【図８】
2010204339.tif 000010
【図９】
2010204339.tif 000011
【図１０】
2010204339.tif 000012
【図１１】
2010204339.tif 000013